(57)【要約】      （修正有）【課題】ペール缶等中型缶の蓋又は底蓋を円滑に切開できる缶カッターを提供する。【解決手段】缶２０をガイドプレート１１に沿って押し下げ、底蓋２１を切開板１２にくい込ませて切開する。切開板２０は缶形状に沿った円弧状部分と、その端部が直角に折れ曲がった形状を持ち、切開板２０の内側近傍に噛付き阻止片１３を設ける。これにより底蓋２１の切開された縁部分を押し曲げ、切開板２０と切開された縁部分との間の噛付きを阻止する。【選択図】  図４
2004182333.tif 000002
【特許請求の範囲】
【請求項１】
缶の蓋又は底蓋を切開する缶カッターにおいて、
使用する人によって握られて保持されるか又は床面上に載置又は設置される基部と、
該基部に支持され、缶の蓋又は底蓋との間の相対的な押し込みによって蓋又は底蓋の外縁に沿った円弧状を少なくとも含む形状の開缶ライン、又は相互に交差する方向に延びる２つの直線状ラインからなりかつ少なくとも一方の直線状ラインが蓋又は底蓋の外縁に沿って延びる折れ線状の開缶ラインに沿って蓋又は底蓋を切開する切開板と、
上記基部又は切開板に上記開缶ラインの両端を結ぶ直線と上記切開板との間に位置して取付けられ、上記切開板と蓋又は底蓋との間の相対的な押し込みによって蓋又は底蓋の切開された縁部分を押し曲げることにより上記切開板と蓋又は底蓋の切開された縁部分との間に隙間を設けて上記切開板への噛付きを阻止する噛付き阻止片と、を備えたことを特徴とする缶カッター。
【請求項２】
上記基部には缶の側面と摺接して上記切開板と中型缶の蓋又は底蓋との間の相対的な押し込みをガイドするガイド板が取付けられている請求項１記載の缶カッター。
【請求項３】
上記基部がグリップである請求項１又は２記載の缶カッター。
【請求項４】
上記基部が載置プレートである請求項１又は２記載の缶カッター。
【発明の詳細な説明】
【０００１】
【発明の属する技術分野】
本発明は例えばドラム缶、１８リットル缶、ペール缶、紙缶等の蓋や底蓋を軽く開缶できるようにした缶カッターに関する。
【０００２】
【従来の技術】
化学薬品、灯油、潤滑オイル、食用油、食品、塗料等は１８リットル缶や２０リットル缶といった中型缶に入れられることが多い。かかる中型缶は化学薬品等を使い終わると、工場等の片隅に積んでおき、まとめて廃棄することが行われている。
【０００３】
しかし、使用済みの中型缶は缶の形状のままでは積んでおいたり、運搬車両の荷台に搭載したりすると、大きなスペースを必要とし、廃棄のコスト高を招来する。
【０００４】
これに対し、切開板を押し込むことによって新品又は使用済みの中型缶の蓋及び底蓋を開缶できるようにしたカッターが提案されている（例えば、特許文献１、特許文献２、特許文献３、特許文献４、参照）。
【０００５】
【特許文献１】実開昭５２−７６４５１号公報
【特許文献２】実開昭５５−６３８９７号公報
【特許文献３】実開昭５５−１１５６００号公報
【特許文献４】特開平１０−１２９７９５号公報
【０００６】
【発明が解決しようとする課題】
しかるに、従来公報記載のカッターでは切開板を中型缶の蓋又は底蓋に押し込むと、蓋又は底蓋の切断した縁部分と缶に残った縁部分との間に切開板が強く挟まれて競り合い、いわゆる噛付きが起こって切開板を引き抜くのに非常に大きな力を必要とし、作業を円滑に行うことができないという問題があった。
【０００７】
本発明は、かかる問題点に鑑み、切開板を軽く引き抜くことのできるようにした缶カッターを提供することを課題とする。
【０００８】
【課題を解決するための手段】
そこで、本発明に係る缶カッターは、缶の蓋又は底蓋を切開する缶カッターにおいて、使用する人によって握られて保持されるか又は床面上に載置又は設置される基部と、該基部に支持され、缶の蓋又は底蓋との間の相対的な押し込みによって蓋又は底蓋の外縁に沿った円弧状を少なくとも含む形状の開缶ライン、又は相互に交差する方向に延びる２つの直線状ラインからなりかつ少なくとも一方の直線状ラインが蓋又は底蓋の外縁に沿って延びる折れ線状の開缶ラインに沿って蓋又は底蓋を切開する切開板と、上記基部又は切開板に上記開缶ラインの両端を結ぶ直線と上記切開板との間に位置して取付けられ、上記切開板と蓋又は底蓋との間の相対的な押し込みによって蓋又は底蓋の切開された縁部分を押し曲げることにより上記切開板と蓋又は底蓋の切開された縁部分との間に隙間を設けて上記切開板への噛付きを阻止する噛付き阻止片と、を備えたことを特徴とする。
【０００９】
本発明の特徴の１つは切開板の内側近くに噛付き阻止片を設け、切開板と蓋又は底蓋との相対的な押し込み時に噛付き阻止片によって切開した蓋又は底蓋の切断した切り口の縁部分を押し込んで曲げるようにした点にある。
【００１０】
これにより、蓋又は底蓋の切断した縁部分と切開板との間に隙間ができ、蓋又は底蓋の切断した縁部分と缶に残った縁部分との間に切開板が強く挟まれて競り合うことはなく、切開板を小さな力で軽く引き抜くことができる。その結果、力の弱い女性や老人も缶の蓋や底蓋を簡単に切開することができる。押し曲げる量は付き阻止片の高さで決める。
【００１１】
本発明の缶カッターは直方体状の１８リットル缶、円筒状のいわゆるペール缶、大型のドラム缶の蓋や底蓋の開缶に適用できる。また、これらの缶は側面、蓋、底蓋の全てが金属板で製作されていてもよく、側面が板紙で製作され、蓋や底蓋が金属板で製作されていてもよい。
【００１２】
本発明に係る缶カッターは少なくとも基部、切開板及び噛付き阻止片の３つの要素から構成されていればよいが、切開作業を円滑に進める上で、切開板の背後にはガイド板を設けて切開板をガイドするのがよい。即ち、基部には缶の側面と摺接して切開板と缶の蓋又は底蓋との間の相対的な押し込みをガイドするガイド板を取付けるのがよい。
【００１３】
基部は使用する人によって握られて保持される方式（具体的にはグリップを握って缶カッターを押し込む方式）でもよく、床面上に載置又は設置される方式（具体的には基部を地面に載置し、基部の上に缶を載せ、作業をする人か缶を手でもって押し込む方式、あるいは缶を地面に設置し、基部に支持した梃子を利用して切開板を押し込む方式）でもよい。前者の場合には基部がグリップであり、後者の場合には基部が載置プレートあるいは梃子機構を支持する固定構造部分となる。特に、大型缶のドラム缶の場合には梃子を利用した開缶  が有効である。
【００１４】
切開板は缶の蓋又は底蓋を円弧状又は折れ線状の切開ラインに沿って切開できればどのような形状でもよいが、小さな力で押し込みを行う上で、押込みが開始される少なくとも１つの押込み開始先端と、開缶ラインを形成する少なくとも１つの斜辺部とを有する形状とするのがよい。例えば、ほぼ逆二等辺三角形状、ほぼ逆直角三角形状、複数の逆三角形を幅方向に連続させた形状等が採用することができる。
【００１５】
また、折れ線状の切開ラインを形成する場合、一方の直線状ラインは蓋又は底蓋の外縁に沿って延び、他方の直線状ラインは一方の直線状ラインと交差するので、２つの直線状ラインの角度を９０°以外の角度に設定すると、次の切開ラインを形成した時に既に形成した他方の直線状ラインと新しく形成する一方の直線状ラインとが確実に交差し、複数の切開ラインを連続させ、蓋又は底蓋を確実に切開することができる。
【００１６】
円弧状の切開ラインを形成する場合、円弧状のラインの一方の終端と交差する交差ラインを形成できるように切開板の形状を工夫すると、上記の場合と同様に複数の切開ラインを確実に連続させることができる。
【００１７】
また、切開板の材質は特に限定されないが、適切な材質を用い、熱処理等を行うのがよい。さらに、押込み先端及び斜辺部には切刃を形成するのが好ましいが、あまり鋭角に形成すると、すぐに切刃が鈍ってしまうので適度な角度、例えば手を当てても切れない程度の角度がよく、しかもかかる鈍角度は安全性の点からも好ましい。
【００１８】
噛付き阻止片は蓋又は底蓋の切開された縁部分を押し曲げることができればその形状や材質は特に限定されない。例えば、板状、棒状あるいはブロック状でもよく、又剛体ではなく、例えばコイルばねや板ばね等のばね部材あるいは弾性体を用いてもよい。
【００１９】
【発明の実施の形態】
以下、本発明を図面に示す具体例に基づいて詳細に説明する。図１ないし図４は本発明に係る缶カッターの好ましい実施形態を示す。図において、載置プレート（基部）１０は金属板を用いて四角形状に製作され、載置プレート１０上面には金属製のガイドプレート（ガイド板）１１が立てて固定されている。
【００２０】
このガイドプレート１１は開缶すべき円筒状の中型缶２０の側面にほぼ沿う平面円弧状をなし、ガイドプレート１１の前方には切開プレート（切開板）１２が設けられ、切開プレート１２はガイドプレート１１及び載置プレート１０に固定され支持されている。
【００２１】
この切開プレート１２は中型缶２０の底蓋２１の外縁よりも少し小さい曲率半径の平面円弧状をなし、その一端部には交差片部１２Ａが連続して形成され、又切開プレート１２は正面から見てほぼ三角形状をなし、その２辺には切刃１２Ｂが形成されている。
【００２２】
また、載置プレート１０には噛付き阻止片１３が切開プレート１２の両端を結ぶ直線と切開プレート１１との間に起立して取付けられている。噛付き阻止片１３を切開プレート１２の両端を結ぶ直線よりも外方に設けると、底蓋２１の切断した縁部分に上手く力が作用せず、変形させることが難しいことから、切開プレート１２の両端を結ぶ直線と切開プレート１１との間に設けている。
【００２３】
円筒状の中型缶（いわゆるペール缶）２０の底蓋２１を開缶する場合、図２に示すように、中型缶２０を両手で持ち、その側面をガイドプレート１１に沿わせながら底蓋２１を切開プレート１２に押し付ける。
【００２４】
すると、中型缶２０の底蓋２１が切開プレート１２に対して相対的に押し込まれ、底蓋２１には切開プレート１２の切刃１２Ｂによってその外縁に沿った形状に切断され、中型缶２０を最後の方まで押し込むと、交差片部１２Ａも底蓋２１に押し込まれ、底蓋２１は円弧状のラインＫ０とこれに交差するラインＫ１とからなる切開ラインに沿って切断される。後は、中型缶２１をカッターから引き上げる。
【００２５】
その時、底蓋２１の切断した縁部分と残った縁部分との間に切開プレート１２が強く挟み込まれて競り合うと、中型缶２０を引き上げるのに大きな力を必要とするが、本例のカッターでは中型缶２０を切開プレート１２に対してある程度押し込むと、噛付き阻止片１３が底蓋２１の切断した縁部分と当たって図４に示されるようにこれを上方に押し曲げるので、切開プレート１２と切断した縁部分との間に隙間ができ、切開プレート１２が切断した縁部分と競り合うことはなく、中型缶２０を軽く引き上げることができる。
【００２６】
その後は上記と同様の作業を繰り返し、既に形成した切開ラインの交差ラインＫ１と新しく形成する切開ラインの外縁に沿ったラインＫ０とを次々と交差させてゆくと、底蓋２１は連続した円弧状の切開ラインに沿って切断されるので、底蓋２１を開缶することができる。
【００２７】
図５及び図６は本発明の他の実施形態を示す。図において、取付プレート３４は２枚で一対をなし、該取付プレート３４の上方円弧状部分にはグリップ（基部）３０が挟持されて取付けられている。
【００２８】
この取付プレート３４の下方部には切開プレート（切開板）３２が挟持されリベット等の締結金具で固定され、切開プレート３２の背後にはガイドプレート（ガイド板）３１が相互に所定の間隔をあけて配置され、リベット等の締結金具によって固定されており、ガイドプレート３１の一方の端部はほぼ直角に、即ち直方体状の中型缶の側面コーナーに沿う角度に折り曲げられている。
【００２９】
他方、切開プレート３２はほぼ逆二等辺三角形状をなし、その２辺には切刃３２Ｂが形成され、又切開プレート３２の一方の終端には交差片部３２Ａがほぼ１３５°の角度をなして折曲げ形成されている。
【００３０】
また、取付プレート３４には噛付き阻止片３３が切開プレート３２の両端を結ぶ直線と切開プレート３２との間に位置してブラケットを介して取付けられ、噛付き阻止片３２は切開プレート３２とほぼ平行に延びている。なお、噛付き阻止片３３はその上端部を折り曲げて取付けプレート３４に直接的に固定してもよく、又切開プレート３２に固定してもよい。
【００３１】
直方体形状の中型缶４０の蓋４１を開缶する場合、図６に示すように、中型缶４０を平坦な地面に置き、グリップ３１を両手で握り、ガイドプレート３１を中型缶４０の側面に沿わせながら切開プレート３２を蓋４１に押し付ける。
【００３２】
すると、切開プレート１２が中型缶４０の蓋４１に次第に押し込まれ、蓋４１には蓋４１外縁に沿った形状に切断され、切開プレート３２を最後の方まで押し込むと、交差片部３２Ａも蓋４１に押し込まれ、蓋４１は外縁に沿った直線状のラインとこれに交差する直線状のラインからなる折れ線状の切開ラインに沿って切断される。後は、グリップ３０を持ち上げて切開プレート３２を引き抜く。
【００３３】
その時、蓋４１の切断した縁部分と残った縁部分との間に切開プレート３２が強く挟み込まれて競り合うと、グリップ３０を持ち上げて切開プレート３２を引き抜くのに大きな力を必要とするが、本例のカッターでは切開プレート３２を中型缶４０の蓋４１に対してある程度押し込むと、噛付き阻止片３３が蓋４１の切断した縁部分と当たってこれを下方に押し曲げるので、切開プレート３２が切断した縁部分と競り合うことはなく、グリップ３０を軽く持ち上げて切開プレート４１を引き抜くことができる。
【００３４】
その後は上記と同様の作業を繰り返すと、蓋４１は連続した切開ラインに沿って切断されるので、蓋４１を開缶することができる。また、中型缶４０の底蓋についても同様の作業によって開缶することができる。
【図面の簡単な説明】
【図１】本発明に係る缶カッターの好ましい実施形態を示す概略斜視図である。
【図２】上記実施形態の使用方法を模式的に示す図である。
【図３】上記実施形態による開缶ラインを示す図である。
【図４】上記実施形態における開缶状態を示す図である。
【図５】第２の実施形態を示す概略斜視図である。
【図６】上記実施形態の使用方法を模式的に示す図である。
【符号の説明】
１０    載置プレート（基部）
１１    ガイドプレート（ガイド板）
１２    切開プレート（切開板）
１２Ａ    交差片部
１２Ｂ    切刃
１３    噛付き阻止片
２０      中型缶
２１      底蓋
Ｋ０      切開ライン
Ｌ１      交差ライン
３０      グリップ（基部）
３１      ガイドプレート（ガイド板）
３２      切開プレート（切開板）
３２Ａ    交差片部
３２Ｂ    切刃
３３      噛付き阻止片
４０      中型缶
４１      蓋
【図１】
2004182333.tif 000003
【図２】
2004182333.tif 000004
【図３】
2004182333.tif 000005
【図４】
2004182333.tif 000006
【図５】
2004182333.tif 000007
【図６】
2004182333.tif 000008